(57)【特許請求の範囲】
【請求項１】
農産物選別用の受皿であって、平面底板の外周から上方に立ち上がった筒状壁を有する硬質の受皿本体と、
倒立円錐台形法面状の壁面体を形成すると共に、この法面状壁面体の内周面が農産物着座用壁面を形成し、更にこの壁面体は内周側で前記受皿本体に組付支持され、かつ外周縁が自由端をなすように設けられた薄肉の弾性体からなる弾性受座と、
前記受皿本体の筒状壁に外周側が組付支持されると共に内周縁が自由端とされて、前記弾性受座の外周縁の自由端に近接離間して配置された薄肉の弾性体からなる受皿上部の農産物揺れ止め部材と、
を備え、前記農産物揺れ止め部材の内周縁は、前記弾性受座に着座した農産物の外周に弾着係合する内径寸法に設けられていることを特徴とする農産物選別用の受皿。
【請求項２】
請求項１において、前記弾性体からなる受皿上部の農産物揺れ止め部材には、この部材の上下方向の撓み性を増大するための切欠きを円周方向に複数設けたことを特徴とする農産物選別用の受皿。
【請求項３】
請求項２において、農産物揺れ止め部材の切欠きは、農産物の着座終期には、農産物との弾着係合により通気性を防止する形状に設けられていることを特徴とする農産物選別用の受皿。
【請求項４】
請求項１又は２において、受皿本体、弾性受座及び農産物揺れ止め部材で囲まれた受皿内部の空間を常時大気に通気させるようにしたことを特徴とする農産物選別用の受皿。
【請求項５】
請求項１ないし３のいずれかにおいて、受皿本体、弾性受座及び農産物揺れ止め部材で囲まれた受皿内部の加圧エアの大気への排気は許すが、反対方向の通気は封止する一方向通気手段を設けたことを特徴とする農産物選別用の受皿。
【請求項６】
請求項１ないし５のいずれかにおいて、前記弾性受座は、受皿本体に組付支持されるその内周側部に、上下方向の弾性変形が可能な筒状弾性体を有することを特徴とする農産物選別用の受皿。
【請求項７】
請求項６において、前記弾性受座の弾性変形が可能な筒状弾性体は、蛇腹構造をなすことを特徴とする農産物選別用の受皿。
【発明の詳細な説明】
【０００１】
【発明の属する技術分野】
本発明は、選別装置において、桃、梨、林檎、柑橘、メロン等の農産物を選別仕分けする作業に用いる受皿に関する。
【０００２】
【従来の技術】
農産物を選別する選別装置で用いられる受皿は、従来から、種々の目的に合わせて多くの型の受皿が提案されている。
【０００３】
この農産物選別装置で用いられる受皿には、従来多く用いられていたコンベアに拘束した拘束式（バケット式）のものと比べ、搬送途中の撮像ステージ等の計測のために他の受皿とは無関係に一時的に停止させたり、仕分けのための分岐コンベアに受皿毎排出することができて、箱詰め段階まで農産物を傷めることを少なく取り扱うことができるフリートレイ式の受皿が近時においては多用されている。
【０００４】
ところで、一般に選別装置の処理能力を向上させるためは、受皿を高速で搬送することが要求されるが、走行が比較的安定している拘束式の受皿に比べて衝撃を受けることが多いフリートレイ式の受皿では、載置搬送する農産物が転がり落下し易いために安定に保持する確実な対策が求められている。
【０００５】
例えば、実公平７−３７７４６号公報で円形状の皿の凹部側壁内面の上部から下部に亘り複数の小幅のひれ状可撓性・弾性突起を円周方向に等分に複数個設けたフリートレイ式の受皿が提案され、また特開平１１−１０１７４９号公報では、農産物の下部に位置する弾性受座と農産物の側面を支持する弾性ひれ状片を有する支持片部材を設け、かつ透過光計測用の水平方向からの照射光が遮られないようにするため、弾性ひれ状片を、照射光の水平方向光路から外れるように偏在させて、農産物の転がり落下防止と透過光計測を可能としたフリートレイ式の受皿が提案されている。
【０００６】
更に、特開平１０−１３９１４０号公報ではトレイを真空ポンプで減圧して農産物を更に吸引・吸着して保持するフリートレイ式の受皿も提案されている。
【０００７】
【発明が解決しようとする課題】
しかしながら、実公平７−３７７４６号公報に示されている受皿は、ひれ状可撓性・弾性突起を設けているので、受皿上の農産物の揺れ動きや転がり落下の問題を軽減することはできるが、フリートレイ式の受皿を高速搬送した際の衝撃による転がり落下の防止や、透過光計測に要求される揺れ動きの制止については不十分であった。
【０００８】
また、特開平１１−１０１７４９号公報に示されている受皿は、透過光計測のための照射光が遮られないように弾性ひれ状片がコンベアの搬送方向に偏在して設けられているために、搬送方向と直交する方向の揺れ動きの制止が不十分であり、透過光計測時には照射光が遮られない方向にトレイの方向を揃えるため、コンベアに向き揃え装置を設ける必要もあった。
【０００９】
また、特開平１０−１３９１４０号公報に示されている受皿は、揺れ動きや転がり落下の防止のために、農産物を受皿に負圧吸引保持させるものであるが、真空ポンプ、パイプ、封止弁等の部品が必要なため、構造が複雑となり部品費が高くなるという問題があった。
【００１０】
また、作業者が農産物を受皿に載置する際に受皿側に設けられている排気ノズルを真空ポンプ側の連結口に接続する作業が必要であり、この作業を受皿に農産物を載置する毎に行う必要があり、手間がかかるという問題もある。
【００１１】
本発明は、上記問題点に鑑みてなされたものであり、フリートレイ式の受皿を高速搬送した場合の農産物の転がり落下を極めて有効に防止できる受皿を提供することを目的とする。
【００１２】
【課題を解決するための手段】
本発明の上記目的は、以下の発明（１）〜（７）により達成される。
（１）農産物選別用の受皿であって、平面底板の外周から上方に立ち上がった筒状壁を有する硬質の受皿本体と、倒立円錐台形法面状の壁面体を形成すると共に、この法面状壁面体の内周面が農産物着座用壁面を形成し、更にこの壁面体は内周側で上記受皿本体に組付支持され、かつ外周縁が自由端をなすように設けられた薄肉の弾性体からなる弾性受座と、  上記受皿本体の筒状壁に外周側が組付支持されると共に内周縁が自由端とされて、上記弾性受座の外周縁の自由端に近接離間して配置された薄肉の弾性体からなる受皿上部の農産物揺れ止め部材と、を備え、上記農産物揺れ止め部材の内周縁は、上記弾性受座に着座した農産物の外周に弾着係合する内径寸法に設けられていることを特徴とする農産物選別用の受皿。
（２）上記発明（１）において、上記弾性体からなる受皿上部の農産物揺れ止め部材には、この部材の上下方向の撓み性を増大するための切欠きを円周方向に複数設けたことを特徴とする。
（３）上記発明（２）において、農産物揺れ止め部材の切欠きは、農産物の着座終期には、農産物との弾着係合により通気性を防止する形状に設けられていることを特徴とする。
（４）上記発明（１）又は（２）において、受皿本体、弾性受座及び農産物揺れ止め部材で囲まれた受皿内部の空間を常時大気に通気させるようにしたことを特徴とする。
（５）上記発明（１）ないし（３）のいずれかにおいて、受皿本体、弾性受座及び農産物揺れ止め部材で囲まれた受皿内部の加圧エアの大気への排気は許すが、反対方向の通気は封止する一方向通気手段を設けたことを特徴とする。
（６）上記発明（１）ないし（５）のいずれかにおいて、上記弾性受座は、受皿本体に組付支持されるその内周側部に、上下方向の弾性変形が可能な筒状弾性体を有することを特徴とする。
（７）上記発明（６）において、上記弾性受座の弾性変形が可能な筒状弾性体は、蛇腹構造をなすことを特徴とする。
【００１３】
本発明が代表的に適用される搬送コンベアに拘束されていないフリートレイ式の受皿（以下「フリートレイ」という）を高速搬送した場合の農産物の転がり落下を有効に防止し、かつ多数のフリートレイを使用することから構造が簡易で安価に提供できるようにすることが求められる、という観点から進めた本発明者の検討の結果によれば、載置する農産物の重量を確実に受けながら、載置農産物の揺れ動きを防止する機能を兼ね備えた担持構造部分と、載置農産物の揺れ止めを一層高める揺れ止め防止のための揺止構造部分とは、機能が異なるために夫々に適した構造は同じでなく、また設置位置も同じでない。更に、構造的に相互に一体のものとすることはむしろ適当していないことが判明した。
【００１４】
そこで、各構造部分の機能を分析しながら、できるだけ簡易な構造でその機能を発揮させることができることを検討して、本発明をなすに至ったものである。
【００１５】
すなわち、上記発明（１）においては、フリートレイの構造骨格をなす硬質の受皿本体に対して、第１に、載置農産物の重量を受けかつ揺れ止め機能も発揮できる担持構造部分として、倒立円錐台形状の法面を提供する壁面体として弾性受座を設け、第２に、載置農産物の揺れ止めをより一層高めるための揺止構造部分として、受座の上方に内縁が農産物周囲に弾着する揺れ止め部材を設けたという構成を採用した。
【００１６】
上記フリートレイの受皿本体は、一般的には平面円形の形状に設けられ、例えば、底面をなす環状円形の平板の外周縁から上方に一定高立ち上がった筒状壁を有すると共に、底面をなす平板の中央部に弾性受座を組み付ける部位を設けたものが好ましく用いられる。
【００１７】
なお、底面をなす平板の略中央に農産物の透過光導出用の貫通孔を設けた受皿本体の場合には、その貫通孔の内周縁に前記弾性受座を組付けて構成することができる。
【００１８】
次に、載置農産物の重量を受けるために、特に、上下方向の弾性変形に対する強度がある程度高い部分である上記弾性受座は、肉厚調整などにより主に載置農産物の揺れを防ぐことに機能する外周縁側の可撓性の高い揺れ止め部材に対して独立して設けられ、弾性受座の外周縁側及び揺れ止め部材の内周端側とを自由端として、切り離して構成していることは重要である。これらを自由端とすることにより該部分の撓み変形性を構造的に得る自由度が増大するからである。またこの弾性受座を揺れ止め部材と切り離して別個独立に設けることにより、構造的に相互の力学的な影響のない構成が採用できるだけでなく、材質的に、弾性変形性の異なる弾性部材を使用することができるという利点が得られる。かかる弾性受座は一般的には、ゴム，プラスチックなどの素材からなる弾性体により構成することができる。
【００１９】
上記揺れ止め部材は、主には、受皿に載置された農産物の水平方向の揺れを防ぐためのものであるが、形状により、載置農産物の上下方向の移動を緩衝するようにも作用するように設けることができる。すなわち、これを平面円環状に形成した場合には、載置農産物の水平方向の揺れ止めを主たる機能（作用）として発揮させるようにすることができるが、該揺れ止め部材を自然状態で倒立円錐台形状の法面を形成するように設けたり、あるいは受皿に対して農産物を上方から押し込み担持させるようにした際に同倒立円錐台形状に農産物に係合させるようにすることができ、このように設けることにより載置農産物が上方に移動する動きを揺れ止め部材の内周端が農産物から係合離脱しようとする際の変形で抑止できるようにすることが可能となる。なお、このような作用を発揮しかつ構造的に部品数が少なく簡易な構造とできるようにするためには、受皿本体の筒状上部に外周端が取り付けられ、内向きに内周端がこの外周端から水平方向に延出されるようにした形状、あるいは、自然状態で内向き斜め下方に傾斜して倒立円錐台形状法面を形成した形状に設けられたものを好ましく採用することができる。かかる構成の揺れ止め部材は、形状が簡単でありながら、単一の部材であり、従前のひれ状片を用いたものに比べて部品数が少なく、組み立て性が極めて優れている。
【００２０】
かかる揺れ止め部材は、受座とは別個独立しているため、その素材・組成を受座とは無関係に設定することができ、かつ構造的には受座と切り離されているため、この点からも高い自由度で設計することが可能となる。かかる揺れ止め部材は一般的には、ゴム，プラスチックなどの素材からなる弾性体により構成することができる。
【００２１】
上記発明（２）は、農産物揺れ止め部材に、その上下方向の撓み性を増大するための切欠きを円周方向に複数設けたという特徴を有するものである。
【００２２】
すなわち、円環状の揺れ止め部材の内周縁側が構造的に上下方向に撓みやすいか否かという性質は必ずしも同部材の組成のみならず、構造的にも影響される。そこで、この揺れ止め部材の内周縁側の撓み性を、従前の提案と同様の切欠きにより与えるようにしたものである。切欠きは、上記発明（３）のようにスリット、凹部形成など適宜のものを採用することができ特に限定されるものではない。また更に、この切欠きは、農産物の着座終期に農産物との弾着係合により通気性を防止する形状とすることができ、このように設けることにより、受皿本体、受座及び揺れ止め部材で囲まれた空間を封止して大気から区画できるようにすれば、農産物に働く下向きの吸引力により、載置農産物の着座時の上方向の動きをより一層抑制できて、載置農産物の安定した担持が実現できる利点が得られる。
【００２３】
上記発明（４）は、上記発明（３）とは反対に、受皿本体、受座及び揺れ止め部材で囲まれた空間を農産物の着座終期においても常時大気と通気させ、このことにより同空間を万が一にも大気より高圧にしないようにしたものである。
【００２４】
上記発明（５）は、受皿本体、受座及び揺れ止め部材で囲まれた空間の圧力を、大気圧よりも高くない状態に維持することができるように、同空間を単に大気と通気させることに変えて、逆止等を用いて一方向性の通気性を与えたものであり、これにより上記発明（３）と同様農産物の上方向の動きを抑制する効果を得るようにしたものである。
【００２５】
上記発明（６）は、弾性受座に上下方向に伸縮可能な筒状部を設けことを特徴とするものであり、かかる構成を採用することにより、載置農産物の重量を支える（担持する）比較的弾性の強い部分を設けることができる。なお、この筒状部は、外側又は内側に変形する筒状弾性体、あるいは上記発明（７）にいう上下変形可能な蛇腹構造のいずれであってもよい。
【００２６】
【発明の実施の形態】
実施形態1
以下、農産物の選別装置に用いる本例のフリートレイ式の受皿の形態について、図１、図２に基づいて説明する。
【００２７】
図１は受皿の平面図、図２は図１の縦断面図である。
【００２８】
図１、図２において、１は受皿であり、平面円形の受皿本体２、弾性受座３、上部支持部材４から構成されている。受皿本体２は硬質樹脂の成形品であり、中央部に上下貫通孔を有する環状の底板２−１と筒状壁２−２からなり、筒状壁２−２の上端縁２−４は揺れ止め部材である上部支持部材４との嵌合部を形成し、底板２−１の内周縁２−５は弾性受座３との嵌合部を形成している。
【００２９】
また、底板２−１の下面の凹部２−３には不図示の仕分排出装置の電磁吸着部が磁気吸着する環状鉄板２−６が接着、固定されている。
【００３０】
弾性受座３は軟質の樹脂の成形品であり、有孔円板状の基板部３−１とその上部の筒状弾性体３−２とさらにその上部の受座部３−３からなり、基板部３−１の外周には上記受皿本体２の内周縁２−５と嵌合される凹溝３−７が設けられている。
【００３１】
筒状弾性体３−２は自然状態で円筒型をなし、弾性受座３に上下方向の荷重が加えられたときに内側への湾曲変形を容易にしている。
【００３２】
受座部３−３は底面が有孔の倒立円錐台形状の皿状をなし、傾斜した法面は下部が厚肉で、上部に行くにつれて薄肉に形成され、その内表面は農産物Ｓを載置したとき農産物Ｓの形状に沿って凹状に変形して農産物Ｓを支持する支持面３−４を形成する。またこの変形を容易とするために支持面３−４の上端は自由端になっている。
【００３３】
受座部３−３の傾斜した側壁の下部をなす基端部３−６は、上下貫通孔３−５の周縁部である。
【００３４】
上部支持部材４は弾性受座３と同様（材質は同じでなくともよい）に軟質の樹脂の成形品であり、受皿本体２の筒状壁上端と凹凸嵌合する凹部４−５を有する環状壁４−１と、この環状壁４−１の上端から中心側に向かって凸状をなす支持板部４−２とで構成される。本例のこの上部支持部材４は、例えば、外周の環状壁部分が厚肉であり、内周側に行くにつれて薄肉に形成され、支持板部４−２の上表面は農産物Ｓの側面を支持するための支持面４−３をなし、農産物Ｓを載置したときに農産物Ｓが支持面３−４から転がり落下するのを防止する機能を有している。
【００３５】
また、本例では、上部支持部材４の内周縁の４箇所に切欠き部４−４が設けられ（図１参照）、農産物Ｓを載置したとき、支持板部４−２の内周縁部の周方向および半径方向の変形を容易にし、さらに、支持面４−３と農産物Ｓとの密着化を図り、後述する空気室１−１から大気に通ずる通気孔の機能を有している。
【００３６】
上記の空気室１−１というのは受皿本体２、弾性受座３、上部支持部材４の三部品によって形成されるドーナツ状の隔壁室をいい、農産物Ｓを受皿１上に載置する前は、受座部３−３の上縁と支持板部４−２の内周縁との間の隙間１−２および支持板部４−２の内周縁の切欠き部４−４を介して大気と通じている。
【００３７】
農産物Ｓを受皿１上に載置した後は、隙間１−２が農産物Ｓの側面で遮蔽される。
【００３８】
図３は本発明の実施形態１に係る受皿１に農産物Ｓを載置したときの断面図であり、２点鎖線は受皿１に農産物Ｓを載置する前の受座部３−３と支持板部４−２の一部の形状（左側のみ図示）を示している。
【００３９】
この図３において、農産物Ｓを受皿１に載置すると、まず農産物Ｓの下部側面が支持板部４−２の支持面４−３の内周縁に当接して、支持板部４−２が農産物Ｓの表面形状に沿うように変形し、同じく農産物Ｓの下部側面が受座部３−３の支持面３−４の上縁部に当接して、受座部３−３が農産物Ｓの表面形状に沿うように変形を始める。
【００４０】
続いて、受座部３−３に加わる農産物Ｓの荷重が大きくなると、筒状弾性体３−２が貫通孔３−５の内側方向に凸状に変形し農産物Ｓは受皿１の内部に沈み込み所定の沈み量に達する。図３において、沈み量Ｈが大きければ、農産物Ｓの転がり落下はより有効に防止されるが、透過光を農産物の側面から照射させる透過光計測を行う上で障害となるので、選果目的の農産物に応じて、筒状弾性体３−２の肉厚や材質を選定し、載置された農産物Ｓの沈み量を調節することが好ましい。例えば、ある特定の農産物Ｓについて、大粒の重い農産物Ｓの場合は沈み量Ｈが大きくなって、直径Dが大きくてもＨ／Ｄは約３０％となるようにし、また小粒の軽い農産物Ｓの場合は沈み量Ｈは小さいが、直径Ｄも小さいのでＨ／Ｄは同様に約３０％確保することが可能となる。
【００４１】
また、空気室１−１は切欠き部４−４を介して大気と通じているので、農産物Ｓを受皿１に載置する場合、農産物Ｓの大粒、小粒に関係なく空気室１−１の圧力は略大気圧に維持され、農産物Ｓの沈み量Ｈが抑制されることなく、農産物Ｓの重量に見合った沈み量Ｈが得られる。そして、農産物Ｓの載置処理の終期には、上記切欠き部４−４が農産物Ｓとの係合で封止されるようにすれば、農産物Sが上方へ動くときには空気室１−１の容積が増大して負圧となるため農産物Sに下向きの吸引力が働き農産物Sの上方向の動きを抑制することができる。
【００４２】
また、コンベア上の振動や、フリートレイ式受皿の受ける衝撃により、農産物Ｓが上下および水平方向に振動すると空気室１−１の容積が変動して、空気室１−１と大気との間で空気が流入、流出するが切欠き部４−４のオリフィス効果によって、農産物Ｓの上下動等が抑制され、農産物Ｓの受皿１からの転がり落下がより有効に防止される。
【００４３】
このオリフィス効果は、大粒の重い農産物Ｓの場合は沈み量が大きく、切欠き部４−４の通気孔の面積が小さくなるためダンピング力が大きくなり、小粒で軽い農産物Ｓの場合は沈み量が小さくて、切欠き部４−４の通気孔の面積が大きくダンピング力が小さくなり、農産物Ｓの重量に見合ったダンピング力が得られるという利点も得られる。
【００４４】
さらに、載置農産物Ｓの側面には上部支持部材４の内周縁部の緊迫力によるマサツ力が働き、農産物Ｓが上方に動き始めると、支持板部４−２の変形拘束力によってその動きが抑制される。
【００４５】
すなわち、本例の上部支持部材４の形状は下方に向かって凸面をなしているので、農産物Ｓが上方へ動こうとすると、農産物Ｓと上部支持部材４とのマサツ力によって局部的な盛上り変形を示すことになり、緊迫力の増加とあいまってマサツ力も増加して上方向の動きがより一層規制され、この点でも農産物Ｓの転がり落下を防止する効果を有する。また大粒の農産物の場合には直径が大きいため、静止時の緊迫力も、局部的な盛上り変形も、さらに、それに伴う緊迫力も大きくなり、上向きの動きを規制する力が大きくなるので、転がり落下に対して条件の悪い大粒の農産物に特に有利に働くという効果を有する。
【００４６】
なお、農産物Ｓの形状によって、あるいは載置時に農産物Ｓを上方から受皿１に強く押込むことにより、切欠き部４−４が形成する通気孔が完全に塞がれた場合には、農産物Ｓの側面部と上部支持部材４との間および農産物Ｓの下面部と受座部３−３の支持面３−４との間の気密性が保持されている限り、農産物Ｓが上方へ動き始めると、空気室１−１は負圧になり、農産物Ｓに吸引力が下向きに働き、農産物Ｓの転がり落下を防止する効果を発揮する。また農産物Ｓの側面部と上部支持部材４の支持面４−３との間、および農産物Ｓの下面部と受座部３−３の支持面３−４との間に隙間が生じても、この隙間による通路抵抗によって、ダンピング力が発生するので、農産物Ｓの転がり落下防止の効果を生ずる。
【００４７】
なお、安定したダンピング力を得るために上部支持部材４の支持面４−３、および受座部３−３の支持面３−４には農産物Ｓとの間で気密性を保持するための環状のシール（突起あるいはシール部材）を設けるのが好ましい。
【００４８】
また、農産物Ｓと上部支持部材４との間のマサツ力を高めるために上部支持部材４の材質をマサツ係数の高いゴム製とすることも有効である。
【００４９】
本例によれば、載置する農産物Ｓの重量を支持する弾性受座３に、自由端を有する倒立円錐台形状の受座部３−３を設けることで、農産物Ｓの揺れ動きを防止し、更にこれに加えて、上部支持部材４でこの揺れ動きをより一層防止できるようにしてあり、しかもこれらの部材の素材、及び構造を独立に設計できるので、安価な構成が採用できるという優れた利点が得られる。なお上部支持部材４は、フラットな円環状の構造あるいは、円周外側から中心に向かって下り傾斜した倒立円錐台形状の構造のものが、単品で機能を十分に発揮できるので好ましく採用でき、また内径寸法は、弾性受座３の受座部３−３の外径と同等ないしそれよりも大きいあるいは小さい径とすることがよい。
【００５０】
実施形態２
図４（ａ）は実施形態２に係る受皿の断面図,図４（ｂ）は図４（ａ）の逆止弁１６の側面図であり、上記実施形態１を説明した図２に相当するものである。
【００５１】
本例は、実施形態１の受皿本体に逆止弁を付加したものであって、その他の部分は実施形態１と同一であるので、同一の部分については同一の符号を付して説明を省略する。
【００５２】
本例における受皿本体１２は、その筒状壁１２−２の下部の一部に、逆止弁１６を装着するための水平方向の円筒状凹部１２−７が設けられ、この凹部の奥壁には通気孔１２−８が設けられ、奥壁の手前側周囲には弁座１２−９が設けられている。
【００５３】
円筒状の凹部１２−７に装着される逆止弁１６は、円板状弁板１６−２を円筒状の本体部１６−１の内部の一端に薄肉のヒンジ１６−３を介して接続したものである。
【００５４】
かかる構成を採用することにより、受皿本体１２、弾性受座３、上部支持部材４の３部品によって形成されるドーナツ状の空気室１１−１は、農産物Ｓを受皿１１上に載置する前は、受座部３−３の上縁と支持板部４−２の内周縁との間の隙間１−２を介して大気と通じ、農産物Ｓを受皿１１上に載置した後は、隙間１−２が農産物Ｓの側面で遮蔽されるが支持板部４−２の内周縁の切欠き部４−４を介して大気と通じるほかに、逆止弁１６を介して大気と通ずるようにすることができる。なお、逆止弁に代えて、絞り弁を用いたり、空気室１１−１の負圧発生は得られないが、逆止弁１６に代えて単に通気孔とすることもできる。
【００５５】
本例によれば、農産物Ｓを受皿１１に載置すると、まず農産物Ｓの下部側面が、支持板部４−２の支持面４−３の内周縁部に当接して、該支持板部４−２は農産物Ｓの表面形状に沿うように変形し、同じく農産物Ｓの下部側面が受座部３−３の支持面３−４の上縁部に当接して、受座部３−３が農産物Ｓの表面形状に沿うように変形を始める。
【００５６】
続いて、受座部３−３に加わる農産物Ｓの荷重が大きくなると、筒状弾性体３−２が貫通孔３−５の内側方向に凸状に変形し農産物Ｓは受皿１１の内部に沈み込み所定の沈み量Ｈに達する。
【００５７】
農産物Ｓを受皿１１に載置した初期の段階では、空気室１１−１は大気圧と同じであるが、受座部３−３と支持板部４−２の変形が進行すると、支持板部４−２の支持面４−３と農産物Ｓの側面部とが当接しているが、この状態では空気室１１−１は、切欠き部４−４を介して大気に通じると同時に、逆止弁１６を介して大気に通じているため、空気室１１−１の空気は切欠き部４−４のほか、逆止弁１６の弁板１６−２が開いて、空気室１１−１の空気が通気孔１２−８を通って大気側に放出される。
【００５８】
このため、農産物Ｓを受皿１１に載置する場合、農産物Ｓの大粒、小粒に関係なく空気室１１−１の圧力上昇は第１の実施の形態の場合に比較して小さく、農産物Ｓの沈み込みが抑制されることなく、農産物の重量に見合った沈み量Ｈがより短時間のうちに得られる。
【００５９】
この効果は大粒の農産物Ｓを受皿１１に載置する場合や農産物Ｓを受皿１１に押込む場合に顕著である。
【００６０】
また、逆止弁の場合は特定の農産物Ｓに最適の通気孔の面積を容易に確保できるので切欠き部４−４の通気孔の大きさは農産物の大きさ、形状によって不安定となることがないという効果がある。
【００６１】
また、受皿本体１２に逆止弁を設けたことにより、切欠き部の形状を支持板部の内周縁部の応力を低減できる程度の通気孔の面積の小さなものとし、受皿１１に載置した農産物Ｓが受皿１１内に沈み込むときの空気室１１−１内の空気を主として逆止弁６から大気側に放出し、農産物が上方に動いて空気室が負圧になるときは、切欠き部４−４の小さな通気孔からの空気取込みしかないようにすれば、農産物Ｓを受皿１１に載置した時の沈み込みは短時間内に行われ、かつ、コンベア上の受皿１１に農産物Ｓを載置した直後の農産物の転がり落下を防止でき、農産物Ｓが上方に動く時の切欠き部４−４の高いオリフィス効果が得られ、全体としても適度の減衰力を得るようにすることができる。
【００６２】
また、切欠き部４−４を薄肉部に代えて、上記逆止弁を絞り弁とすることにより、オリフィス効果による安定したダンピングを持たせることもできて、受皿から転がり落下し易い大粒の農産物Ｓに対して有効なダンピング力を容易に選定することもできる。
【００６３】
また、本第２の実施の形態においても、第１の実施の形態と同様に、支持板部４−２の支持面４−３および受座部３−３の支持面３−４には農産物Ｓとの間で気密性を保持するための環状のシール用突起を設けることにより、逆止弁による安定したダンピング力を得ることができる。
【００６４】
実施形態３
図５は、実施形態３の受皿を示した断面図であり、実施形態１の図２に相当するものである。
【００６５】
本例の受皿２１は、実施形態１の弾性受座３の筒状弾性体３−２を、蛇腹部２３−２に代えたものであって、その他の部分は実施形態１と同一であるので、同一の部分については同一の符号を付して説明を省略する。
【００６６】
図５において、弾性受座２３は、軟質の樹脂またはゴムの成形品であり、有孔円板状の基板部２３−１と、その上部の蛇腹部２３−２と、さらにその上部の受座部３−３からなり、基板部２３−１の外周には受皿本体２の内周縁２−５と嵌合される凹溝３−７が設けられている。
【００６７】
本例の蛇腹部２３−２は、垂直方向に２．５個の山と谷で構成された薄肉の円筒状をなし、弾性受座２３に上下方向の荷重が加えられたときの変形を極めて容易にしている。
【００６８】
また、本例の実施形態３は、弾性受座２３の上下方向の変形が極めて容易なので、比較的軽量の農産物（たとえば小粒の林檎）でも沈み量を大きくして農産物Ｓの沈み量を大きく取ることができ、弾性部の応力は所定値に容易に収めるめことができるという効果が得られる。
【００６９】
なお、本例の構成に、上記実施形態２に係る逆止弁を付加することも、切欠き部４−４を薄肉部に代え、さらに通気孔、逆止弁または絞り弁を追加することは適宜行うことができる。
【００７０】
【発明の効果】
以上述べたように、本発明によれば、走行チェーン等に連結されて走行する拘束式の受皿の場合は勿論のこと、搬送途中の撮像ステージで他の受皿とは無関係に一時的に停止できるフリートレイ式の受皿を高速搬送した場合にも受皿の載置した農産物の転がり落下の防止や、搬送中における透過光計測に要求される揺れ動きの制止が可能で、またコンベアに受皿の向き揃え装置を設けることを必要とせず、透過光を上下方向に導光させる方式の透過光計測をも可能とする受皿を提供することができる。さらに、農産物の側面には支持板部の内周縁部の緊迫力によるマサツ力が働き、農産物が上方に動こうとすると、支持板部の変形拘束力によってその動きを抑制できるという効果が得られる。また以上の他に、下記の効果が得られる。
【００７１】
（イ）発明（６）によれば、筒状弾性体を設けて農産物の沈み量を大きくしているので、大粒の重い農産物の場合は沈み量が大きくなり、直径が大きくても、また小粒の軽い農産物Ｓ場合にも農産物の直径に対する沈み量の比率を所定値に確保して農産物の転がり落下を防止できる。
【００７２】
（ロ）発明（２）、（４）によれば、空気室は切欠き部を介して常時大気と通じているので、空気室が加圧されて農産物の沈み込みが抑制されるということがなく、農産物を受皿に載置する場合、農産物の大粒、小粒に関係なく、農産物の重量に見合った沈み量が時間の遅れなく短時間内に得られ、特にコンベア上の受皿に農産物を載置した直後の農産物の転がり落下を防止することができる。
【００７３】
（ハ）発明（３）、（５）によれば、コンベア上の振動や、フリートレイ式受皿の受ける衝撃などによって生ずる、農産物が上下および水平方向の振動に対して、切欠き部のオリフィス効果によって、農産物の振動が抑制され、農産物の転がり落下を防止できるという効果が得られる。しかもこのオリフィス効果は、大粒の重い農産物の場合は切欠き部の通気孔の面積が小さくなるためダンピング力が大きくなり、小粒で軽い農産物の場合は切欠き部の通気孔の面積が大きくダンピング力が小さくなり、農産物の重量に見合ったダンピング力が得られる。
【００７４】
なお、農産物を上方から受皿に強く押込むことにより、切欠き部が形成する通気孔が完全に塞がれた場合には、農産物の側面部と支持板部との間および農産物の下面部と受座部の支持面との間の気密性が保持され、農産物が上方へ動き始めると、空気室は負圧の傾向となり、農産物に吸引力が下向きに働き、農産物の転がり落下を防止する効果が得られる。また農産物の側面部と支持板部の支持面との間および農産物の下面部と受座部の支持面との間に隙間が生じたときには、この隙間による通路抵抗によって、ダンピング力が発生するので、農産物の転がり落下防止の効果が得られる。
【００７５】
また、発明（２）（４）の場合と同様に、空気室は切欠き部を介して大気と通じているので、空気室が加圧されて農産物の沈み込みが抑制されるということがなく、農産物を受皿に載置する場合、農産物の大粒、小粒に関係なく、農産物の重量に見合った沈み量が時間の遅れなく短時間内に得られ、特にコンベア上の受皿に農産物を載置した直後の農産物の転がり落下を防止できるという効果も得られる。
【００７６】
（ニ）発明（６）、（７）によれば、弾性受座に筒状弾性体あるいは蛇腹部を設けたので、比較的軽量の農産物（たとえば、小粒の林檎）でも、弾性部の応力を所定値に収めながら沈み量を大きく取ることができ、農産物の転がり落下を防止できるという効果が得られる。
【図面の簡単な説明】
【図１】本発明の実施形態１に係る受皿の平面図である。
【図２】図１の縦断面図である。
【図３】同実施形態１の受皿に農産物を載置したときの断面図である。
【図４】図４（ａ）は本発明の実施形態２に係る受皿の断面図、図４（ｂ）は図４（ａ）の逆止弁１６の側面図である。
【図５】本発明の実施形態３に係る受皿の断面図である。
【符号の説明】
１、１１、２１・・・受皿
１−１、１１−１、２１−１・・・空気室
１−２・・・隙間
２、１２・・・受皿本体
２−１・・・底板
２−２、１２−２・・・筒状壁
２−３・・・凹部
２−４・・・上端縁
２−５・・・内周縁
２−６・・・環状鉄板
１２−７・・・凹部
１２−８・・・通気孔
１２−９・・・弁座
３、２３・・・弾性受座
３−１、２３−１・・・基板部
３−２・・・筒状弾性体            ２３−２・・・蛇腹部
３−３・・・受座部
３−４・・・支持面
３−５、２３−５・・・貫通孔
３−６・・・基端部
３−７・・・凹溝
４・・・上部支持部材
４−１・・・環状壁
４−２・・・支持板部
４−３・・・支持面
４−４・・・切欠き部
４−５・・・凹部
１６・・・逆止弁
１６−１・・・本体部
１６−２・・・弁板
１６−３・・・ヒンジ
【図１】
0004397136.tif 000002
【図２】
0004397136.tif 000003
【図３】
0004397136.tif 000004
【図４】
0004397136.tif 000005
【図５】
0004397136.tif 000006